(57)【特許請求の範囲】
【請求項１】
操作面、および該操作面の反対側に位置する背面を有した基体と、
前記基体の前記背面上に設けられた検出電極と、
前記基体の前記背面上に設けられており、かつ前記検出電極と電気的に接続された配線導体と、
前記配線導体と電気的に接続されたフレキシブル基板と、
平面視して前記フレキシブル基板を覆うように前記基体の前記操作面上または前記背面上に設けられた第１遮光膜と、を備え、
平面視した時に前記第１遮光膜に重畳する前記フレキシブル基板の部分に第２遮光膜が設けられている、入力装置。
【請求項２】
前記第２遮光膜は、前記フレキシブル基板において、前記配線導体と前記フレキシブル基板とが接続された部位とは反対側に位置する面に設けられている、請求項１に記載の入力装置。
【請求項３】
前記第２遮光膜は、導電材料を含んでなる、請求項１または２に記載の入力装置。
【請求項４】
前記第２遮光膜は、前記基体の前記背面近傍に位置する前記フレキシブル基板の部分に設けられている、請求項１〜３のいずれか一項に記載の入力装置。
【請求項５】
請求項１〜４のいずれか一項に記載の入力装置と、
前記入力装置の前記背面側に配置された表示パネルと、
前記表示パネルの前記入力装置と反対側に配置されたバックライトと、
前記バックライトの前記表示パネルと反対側に配置された回路基板と、
前記表示パネル、前記バックライト、および前記回路基板が収容された第１筐体と、を備え、
前記フレキシブル基板は、前記第１筐体と前記表示パネルおよび前記バックライトとの間の空間を介して、前記回路基板と電気的に接続されている、入力機能付き表示装置。
【請求項６】
請求項５に記載の入力機能付き表示装置を第２筐体に備えた機器。
【発明の詳細な説明】
【技術分野】
【０００１】
本発明は、例えば、使用者が入力操作した箇所を入力位置として検出する入力装置、入力機能付き表示装置、および機器に関する。
【背景技術】
【０００２】
入力装置としては、例えば、指と検出電極との間での静電容量の変化を捉えて入力位置を検出する静電容量方式のタッチパネルが知られている（例えば、特許文献１および２参照）。
【０００３】
このような入力装置は、操作面、および操作面の反対側に位置する背面を有した基体を備えている。また、入力装置は、基体の背面上に設けられた検出電極と、基体の背面上に設けられており、かつ検出電極と電気的に接続された配線導体と、配線導体と電気的に接続されたフレキシブル基板と、を備えている。このフレキシブル基板は、折り曲げられて外部の回路基板と電気的に接続される。
【先行技術文献】
【特許文献】
【０００４】
【特許文献１】特開２００８−９７２８３号公報
【特許文献２】特開２００８−３１０５５１号公報
【発明の概要】
【発明が解決しようとする課題】
【０００５】
上記の入力装置では、フレキシブル基板が使用者に視認されないように、平面視してフレキシブル基板を覆うように基体の操作面上に遮光膜を設けている。これにより、フレキシブル基板が使用者に視認されてしまう可能性を低減することができる。しかしながら、フレキシブル基板は、一般に茶色をなしており、たとえ遮光膜を設けていても、バックライトからの光量が大きい場合には、遮光膜を介してフレキシブル基板が使用者に視認されてしまう可能性があった。
【０００６】
本発明は、上記の問題点に鑑みてなされたものであり、その目的は、フレキシブル基板が使用者に視認されてしまう可能性を低減することができる入力装置、入力機能付き表示装置、および機器に関する。
【課題を解決するための手段】
【０００７】
本発明の入力装置における一態様は、操作面、および該操作面の反対側に位置する背面を有した基体と、前記基体の前記背面上に設けられた検出電極と、前記基体の前記背面上に設けられており、かつ前記検出電極と電気的に接続された配線導体と、前記配線導体と電気的に接続されたフレキシブル基板と、平面視して前記フレキシブル基板を覆うように前記基体の前記操作面上または前記背面上に設けられた第１遮光膜と、を備え、平面視した時に前記第１遮光膜に重畳する前記フレキシブル基板の部分に第２遮光膜が設けられている。
【０００８】
本発明の入力機能付き表示装置における一態様は、本発明に係る入力装置と、前記入力装置の前記背面側に配置された表示パネルと、前記表示パネルの前記入力装置と反対側に配置されたバックライトと、前記バックライトの前記表示パネルと反対側に配置された回路基板と、前記表示パネル、前記バックライト、および前記回路基板が収容された第１筐体と、を備え、前記フレキシブル基板は、前記第１筐体と前記表示パネルおよび前記バックライトとの間の空間を介して、前記回路基板と電気的に接続されている。
【０００９】
本発明の機器における一態様は、本発明に係る入力機能付き表示装置を第２筐体に備える。
【発明の効果】
【００１０】
本発明の入力装置、入力機能付き表示装置、および機器は、フレキシブル基板が使用者に視認されてしまう可能性を低減することができる、という効果を奏する。
【図面の簡単な説明】
【００１１】
【図１】本実施形態に係る入力機能付き表示装置の概略構成を示す平面図である。
【図２】図１中に示した切断線Ｉ−Ｉに沿って切断した断面図である。
【図３】本実施形態に係るタッチパネルの概略構成を示す平面図である。
【図４】図３中に示した切断線ＩＩ−ＩＩに沿って切断した断面図である。
【図５】図３中に示した切断線ＩＩＩ−ＩＩＩに沿って切断した断面図である。
【図６】図２中に示したＫ１の部分を拡大した図である。
【図７】図２と同じ部分を示す図であり、図２の変形例を示す図である。
【図８】本実施形態に係る携帯端末の概略構成を示す斜視図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る入力装置、入力機能付き表示装置、および機器は、本明細書が参照する各図に示されていない任意の構成部材を備え得る。
【００１４】
図１に示すように、本実施形態に係る入力機能付き表示装置Ｘ１は、所望の画像を表示しかつ情報を入力することが可能な表示入力領域ＥＩと、表示入力領域ＥＩの外側に位置する外側領域ＥＯとを有している。また、図１および図２に示すように、入力機能付き表示装置Ｘ１は、液晶表示パネル２、バックライト３、タッチパネル４、回路基板５、第１筐体６、第１フレキシブル基板７、および第２フレキシブル基板８を備えている。なお、タッチパネル４および第１フレキシブル基板７が、本発明の入力装置の一実施形態となる。
【００１５】
液晶表示パネル２は、表示のために液晶組成物を利用する表示パネルである。具体的には、液晶表示パネル２は、上側基板２１と、上側基板２１よりも外側に突出しかつ上側基板２１に対向して配置される下側基板２２と、上側基板２１と下側基板２２との間に介在した液晶層（図示せず）と、上側基板２１と下側基板２２との間に介在しかつ表示に寄与する表示部材層（図示せず）と、を備えている。なお、表示部材層としては、例えば、画素電極、配向膜、カラーフィルタ等が挙げられる。液晶表示パネル２の駆動方式としては、単純マトリクス駆動方式であってもよいし、アクティブマトリクス駆動方式であってもよい。また、液晶表示パネル２は、モノクロの表示パネルであってもよいし、カラーの表示パネルであってもよい。
【００１６】
なお、液晶表示パネル２の代わりに、プラズマディスプレイ、有機ＥＬディスプレイ、電子ペーパ等の表示パネルであってもよい。
【００１７】
バックライト３は、液晶表示パネル２の後方に配置されており、液晶表示パネル２を照射する役割を担う部材である。バックライト３は、光源３１と、導光板３２とを備えている。光源３１は、導光板３２の端面３２ａに向けて光を出射する役割を担う部材であり、
例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。光源３１は、導光板３２の端面３２ａに対向するように、第２フレキシブル基板８上に設けられている。導光板３２は、液晶表示パネル２の下面全体にわたって、光源３１からの光を略均一に導くための役割を担う部材である。
【００１８】
タッチパネル４は、液晶表示パネル２の前方に配置されており、使用者が指あるいはペン等で操作した箇所を入力位置として検出する役割を担う部材である。図２に示すように、タッチパネル４は、液晶表示パネル２およびバックライト３よりも外側に張り出して構成されている。なお、以下では、タッチパネル４は、静電容量方式のタッチパネルである例について説明するが、これに限らず、抵抗膜方式のタッチパネル、表面弾性波方式のタッチパネル、赤外線方式のタッチパネル、あるいは電磁誘導方式のタッチパネルであってもよい。
【００１９】
図３は、本実施形態に係るタッチパネル４の概略構成を示す平面図である。図４は、図３中に示した切断線ＩＩ−ＩＩに沿って切断した断面図である。図５は、図３中に示した切断線ＩＩＩ−ＩＩＩに沿って切断した断面図である。
【００２０】
図３〜図５に示すように、タッチパネル４は、基体４１を備えている。基体４１は、使用者により指あるいはペン等で操作される操作面４１ａ、および操作面４１ａの反対側に位置する背面４１ｂを有している。基体４１は、操作面４１ａおよび背面４１ｂに対して交差する方向に光を適切に透過することが可能な構成とされるとともに、絶縁性を有する構成とされている。基体４１の構成材料としては、例えば、透明ガラスあるいは透明プラスチック等の透光性を有するものが挙げられるが、中でも視認性の観点において透明ガラスが好ましい。なお、本明細書において透光性とは、可視光に対する透過性を有することを意味する。
【００２１】
表示入力領域ＥＩに対応する基体４１の背面４１ｂ上には、第１検出電極４２と、第１接続電極４３と、第２検出電極４４と、第２接続電極４５と、絶縁体４６とが設けられている。
【００２２】
第１検出電極４２は、表示入力領域ＥＩに接近した使用者の指Ｆ１の、Ｙ方向における入力位置の検出を行う役割を有するものであり、指Ｆ１との間に静電容量を発生する機能を有している。すなわち、第１検出電極４２は、基体４１の背面４１ｂ上に、Ｘ方向に沿って所定の間隔を空けて設けられている。ここで、本実施形態に係る第１検出電極４２は、検出感度を向上する観点から、平面視形状が略ひし形とされているが、これには限られない。
【００２３】
第１接続電極４３は、隣り合う第１検出電極４２を電気的に接続する役割を担う部材である。第１接続電極４３は、基体４１の背面４１ｂ上に設けられている。
【００２４】
第２検出電極４４は、表示入力領域ＥＩに接近した使用者の指Ｆ１の、Ｘ方向における入力位置の検出を行う役割を有するものであり、指Ｆ１との間に静電容量を発生する機能を有している。すなわち、第２検出電極４４は、基体４１の背面４１ｂ上に、Ｙ方向に沿って所定の間隔を空けて設けられている。ここで、本実施形態に係る第２検出電極４４は、検出感度を向上する観点から、平面視形状が略ひし形とされているが、これには限られない。
【００２５】
第２接続電極４５は、隣り合う第２検出電極４４を電気的に接続する役割を担う部材である。第２接続電極４５は、第１接続電極４３と電気的に絶縁するように、かつ絶縁体４
６を跨ぐように、当該絶縁体４６上に設けられている。ここで、絶縁体４６は、第１接続電極４３を覆うようにして基体４１の背面４１ｂ上に設けられている。絶縁体４６の構成材料としては、例えば、アクリル樹脂、エポキシ樹脂、あるいはシリコーン樹脂等の透明樹脂が挙げられる。
【００２６】
上述の第１検出電極４２、第１接続電極４３、第２検出電極４４、および第２接続電極４５の構成材料としては、例えば、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、あるいは導電性高分子が挙げられる。
【００２７】
また、外側領域ＥＯに対応する基体４１の背面４１ｂ上には、配線導体４７が設けられている。
【００２８】
配線導体４７は、第１検出電極４２および第２検出電極４４に電圧を印加するための役割を担う部材である。配線導体４７は、その一端部が第１検出電極４２および第２検出電極４４と電気的に接続され、その他端部が第１フレキシブル基板７に電気的に接続されている。配線導体４７は、例えば、硬質で高い形状安定性を得るべく、金属薄膜で構成されている。この金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、上述の金属薄膜を形成する方法としては、例えば、スパッタリング法、蒸着法、あるいは化学気相成長法が挙げられる。
【００２９】
保護部材４８は、第１検出電極４２、第１接続電極４３、第２検出電極４４、第２接続電極４５、絶縁体４６、および配線導体４７を保護するための役割を担う部材である。このため、保護部材４８は、これら部材を覆うようにして設けられている。すなわち、保護部材４８は、接合部材４９を介して基体４１の背面４１ｂと接合される。保護部材４８としては、例えば、ポリエチレンテレフタレートフィルム、アクリルフィルム、ポリカーボネートフィルム、樹脂フィルム等が挙げられる。また、接合部材４９としては、例えば、アクリル系粘着剤、シリコーン系粘着剤、ゴム系粘着剤、ウレタン系粘着剤等が挙げられる。
【００３０】
図１〜図３に示すように、外側領域ＥＯに対応する基体４１の操作面４１ａ上には、第１遮光膜９が設けられている。
【００３１】
第１遮光膜９は、入力機能付き表示装置Ｘ１の外側領域ＥＯを例えば黒色で加飾する役割を担う部材である。本実施形態では、第１遮光膜９は、表示入力領域ＥＩを取り囲むように枠状に形成されている。また、第１遮光膜９は、第１フレキシブル基板７および第２フレキシブル基板８が使用者に視認されてしまう可能性を低減するための役割をも担う部材である。このため、第１遮光膜９は、平面視して第１フレキシブル基板７および第２フレキシブル基板８を覆うように基体４１の操作面４１上に設けられている。なお、本明細書において、「覆う」とは、第１フレキシブル基板７および第２フレキシブル基板８の全部を覆うことに限らず、一部分を覆っていてもよい、という意味である。第１遮光膜９としては、例えば、黒色顔料あるいはカーボンを含む樹脂膜、金属クロム膜、あるいはチタン膜等が挙げられる。第１遮光膜９を形成する方法としては、例えば、スクリーン印刷法、インクジェット印刷法等が挙げられる。
【００３２】
なお、上記では、第１遮光膜９は、外側領域ＥＯに対応する基体４１の操作面４１ａ上に設けられている例について説明したが、これに限定されない。すなわち、第１遮光膜９は、外側領域ＥＯに対応する基体４１の背面４１ｂ上に設けられていてもよい。なお、第
１遮光膜９が基体４１の背面４１ｂ上に設けられていると、表示入力領域ＥＩおよび外側領域ＥＯに対応する基体４１の操作面４１ａが平坦となるため、デザイン上好ましい。
【００３３】
回路基板５は、バックライト３の後方に配置されており、制御回路、抵抗器、コンデンサ等の電子部品を表面に実装し、その部品間を配線で接続することで電子回路を構成する板状またはフィルム状の基板である。回路基板５に設けられた制御回路５１としては、例えば、タッチパネル４を制御するためのタッチパネルドライバ、バックライト３を制御するためのバックライトドライバ、液晶表示パネル２を制御するための表示ドライバ等が挙げられる。なお、表示ドライバは、ＣＯＧ（Chip On Glass）により、液晶表示パネル２
における上側基板２１よりも外側に突出した下側基板２２上に設けられていてもよい。また、表示ドライバは、ＣＯＦ（Chip On Film）により、第２フレキシブル基板８上に設けられていてもよい。
【００３４】
第１筐体６は、液晶表示パネル２、バックライト３、および回路基板５を収容するための役割を担う部材である。第１筐体６の構成材料としては、例えば、ポリカーボネート等の樹脂、あるいは、ステンレス、アルミニウム等の金属が挙げられる。
【００３５】
第１筐体６は、上側筐体６１と、下側筐体６２とを備えている。上側筐体６１は、接着部材１０を介してタッチパネル４と接着され、下側筐体６２は、接着部材１０を介して上側筐体６１と接着される。具体的には、上側筐体６１は、タッチパネル４の張り出した部分でタッチパネル４と接着される。接着部材１０としては、両面テープ、アクリル系粘着剤、シリコーン系粘着剤、ゴム系粘着剤、あるいはウレタン系粘着剤等が挙げられる。タッチパネル４、上側筐体６１、および下側筐体６２により、液晶表示パネル２、バックライト３、および回路基板５が封止される。これにより、液晶表示パネル２、バックライト３、および回路基板５は、外部から埃あるいは水が付着するのを抑制できる。
【００３６】
なお、上記では、第１筐体６として、上側筐体６１と下側筐体６２とで別個独立に構成した例について説明したが、これに限定されない。例えば、上側筐体６１と下側筐体６２とを一体的に構成してもよい。
【００３７】
また、回路基板５の実装面には、第１コネクタ５２および第２コネクタ５３が設けられている。第１コネクタ５２は、第１フレキシブル基板７が接続される。すなわち、第１フレキシブル基板７は、液晶表示パネル２およびバックライト３と上側筐体６１との間の空間Ｓ１を介して、タッチパネル４の配線導体４７と第１コネクタ５２とを電気的に接続する。なお、第１コネクタ５２は、制御回路５１と電気的に接続される。つまり、第１フレキシブル基板７は、空間Ｓ１を通過した後に、回路基板５の裏側に折り曲げられ、第１コネクタ５２に接続される。また、第２コネクタ５３は、第２フレキシブル基板８が接続される。すなわち、第２フレキシブル基板８は、液晶表示パネル２およびバックライト３の光源３１と第２コネクタ５３とを電気的に接続する。なお、第２コネクタ５３は、制御回路５１と電気的に接続される。
【００３８】
図６は、図２中に示したＫ１の部分を拡大した図である。図２および図６に示すように、第１フレキシブル基板７には、第２遮光膜１１が設けられている。第２遮光膜１１としては、第１遮光膜９と同様、例えば、黒色顔料あるいはカーボンを含む樹脂膜、金属クロム膜、あるいはチタン膜等が挙げられる。第２遮光膜１１を形成する方法としては、第１遮光膜９と同様、例えば、スクリーン印刷法、インクジェット印刷法等が挙げられる。
【００３９】
ここで、第１フレキシブル基板７は、表面７ａおよび裏面７ｂを有している。本明細書において、第１フレキシブル基板７の表面７ａとは、タッチパネル４の配線導体４７と第１フレキシブル基板７とが接続された部位Ｃ１を有する面をいう。また、第１フレキシブ
ル基板７の裏面７ｂとは、タッチパネル４の配線導体４７と第１フレキシブル基板７とが接続された部位Ｃ１とは反対側に位置する面をいう。本実施形態では、第２遮光膜１１は、第１フレキシブル基板７の裏面７ｂに設けられている。第２遮光膜１１が第１フレキシブル基板７の裏面７ｂに設けられているので、バックライト３からの光量が大きい場合であっても、第１遮光膜９を介して第１フレキシブル基板７が使用者に視認されてしまう可能性を低減することができる。
【００４０】
具体的に言えば、入力機能付き表示装置Ｘ１が後述する携帯端末Ｐ１に備えられた場合、携帯端末Ｐ１の表示画面の下部には複数の操作キーが配置されることから、携帯端末Ｐ１の表示画面の下部に対してはバックライト３からの光量を大きくする必要がある。携帯端末Ｐ１の表示画面の下部近傍には上記の第１フレキシブル基板７が位置することより、たとえ第１遮光膜９を設けていても、第１遮光膜９を介して第１フレキシブル基板７が使用者に視認されてしまう可能性があった。第１フレキシブル基板７は、一般に茶色をなしているからである。これに対して、本実施形態に係る入力機能付き表示装置Ｘ１では、第２遮光膜１１が第１フレキシブル基板７の裏面７ｂに設けられているので、第１遮光膜９を介して第１フレキシブル基板７が使用者に視認されてしまう可能性を低減することができる。
【００４１】
このように、第２遮光膜１１は、第１フレキシブル基板７の裏面７ｂに設けられているので、タッチパネル４の配線導体４７と第１フレキシブル基板７とが接続された部位Ｃ１を第１フレキシブル基板７の裏面７ｂから遮光することが可能となる。当該部位Ｃ１を第１フレキシブル基板７の裏面７ｂから遮光する必要がない場合には、第２遮光膜１１を、第１フレキシブル基板７の表面７ａにのみ設けてもよい。また、第２遮光膜１１を、第１フレキシブル基板７の表面７ａおよび裏面７ｂの双方に設けてもよい。これにより、第１遮光膜９を介して第１フレキシブル基板７が使用者に視認されてしまう可能性をより低減することができる。
【００４２】
なお、図２では、第２遮光膜１１は、第１フレキシブル基板７の裏面７ｂの一部分に設けられている例について説明したが、第１フレキシブル基板７の裏面７ｂの全部に設けられていてもよい。
【００４３】
また、第２遮光膜１１は、導電材料を含んでなることが好ましい。導電材料としては、例えば、カーボン、あるいは樹脂の粒子に金や銀の皮膜を覆ったもの等が挙げられる。第２遮光膜１１に導電材料を含んでいると、第２遮光膜１１において、液晶表示パネル２からのノイズをある程度遮蔽することができる。これにより、配線導体４７に対する液晶表示パネル２からのノイズの影響を低減させることができる。この結果、タッチパネル４において、入力位置の検出精度および検出感度が低下する可能性を低減できる。
【００４４】
なお、タッチパネル４において、入力位置の検出精度および検出感度が低下する可能性をより低減させるために、第２遮光膜１１は、基準電位、特に、グランド電位に設定されていることが好ましい。
【００４５】
また、図７に示すように、第２フレキシブル基板８の表面８ａには、第３遮光膜１２が設けられていることが好ましい。上記と同様の理由による。
【００４６】
なお、上記では、第１フレキシブル基板７および第２フレキシブル基板８の２つのフレキシブル基板を用いて上記のような接続状態を実現した例について説明したが、これに限定されない。１つのフレキシブル基板を用いて上記の接続状態を実現してもよいし、３つ以上のフレキシブル基板を用いて上記の接続状態を実現してもよい。
【００４７】
また、上記の第１遮光膜９、第２遮光膜１１、および第３遮光膜１２は、薄い膜に限定されるものではない。
【００４８】
次に、タッチパネル４の検出原理について説明する。
【００４９】
表示入力領域ＥＩに対応する基体４１の操作面４１ａに、導電体である指Ｆ１が近接、接触、または押圧すると、指Ｆ１と検出電極４２，４４との間の静電容量が変化する。ここで、タッチパネルドライバは、指Ｆ１と検出電極４２，４４との間の静電容量の変化を常に検出している。このタッチパネルドライバは、所定値以上の静電容量の変化を検出すると、静電容量の変化が検出された位置を入力位置として検出する。このようにして、タッチパネル４は、入力位置を検出することができる。なお、タッチパネル４が入力位置を検出する方式として、相互キャパシタンス方式および自己キャパシタンス方式のいずれの方式であってもよい。相互キャパシタンス方式を採用すると、同時に複数の入力位置を検出できるので、自己キャパシタンス方式を採用する場合と比べて、好ましい。
【００５０】
タッチパネル４は、液晶表示パネル２を透視しながら、表示入力領域ＥＩを入力操作することによって、各種の情報を入力することができる。なお、各種の情報を入力する際に、情報を入力した使用者に対して、押圧感、なぞり感、肌触り感等の様々な触感を呈示する機能をタッチパネル４に付与してもよい。この場合、タッチパネル４における基体４１に、１または複数の振動体（例えば、圧電素子等）を備え、所定の入力操作あるいは所定の押圧荷重を検知した場合に、当該振動体を所定の周波数で振動させることで実現することができる。
【００５１】
以上のように、上記の入力機能付き表示装置Ｘ１によれば、第１フレキシブル基板７が使用者に視認されてしまう可能性を低減することができる。
【００５２】
次に、入力機能付き表示装置Ｘ１を備えた携帯端末Ｐ１について、図８を参照しながら説明する。
【００５３】
図８に示すように、本実施形態に係る携帯端末Ｐ１は、例えば、携帯電話、スマートフォン、ＰＤＡ等の機器であって、入力機能付き表示装置Ｘ１と、音声入力部１０１と、音声出力部１０２と、キー入力部１０３と、第２筐体１０４とを備えている。
【００５４】
音声入力部１０１は、例えば、マイク等により構成されており、使用者の音声等が入力される。音声出力部１０２は、スピーカ等により構成されており、相手方からの音声等が出力される。キー入力部１０３は、例えば、機械的なキーにより構成される。なお、キー入力部１０３は、表示画面に表示された操作キーであってもよい。第２筐体１０４は、入力機能付き表示装置Ｘ１、音声入力部１０１、音声出力部１０２、およびキー入力部１０３を収容する役割を担う部材である。
【００５５】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００５６】
携帯端末Ｐ１は、入力機能付き表示装置Ｘ１を備えているので、第１フレキシブル基板７が使用者に視認されてしまう可能性を低減することができる。
【００５７】
なお、上記では、携帯端末Ｐ１に音声入力部１０１を備えている例について説明したが、これに限定されない。すなわち、携帯端末Ｐ１には音声入力部１０１は備えられていなくともよい。
【００５８】
ここで、入力機能付き表示装置Ｘ１は、上記の携帯端末Ｐ１の代わりに、産業用途で使用されるプログラマブル表示器、電子手帳、パーソナルコンピュータ、複写機、ゲーム用の端末装置、テレビ、デジタルカメラ等の種々の機器に備えられていてもよい。
【符号の説明】
【００５９】
Ｘ１  入力機能付き表示装置
Ｐ１  携帯端末（機器）
２  液晶表示パネル（表示パネル）
３  バックライト
４  タッチパネル
４１  基体
４１ａ  基体の操作面
４１ｂ  基体の背面
４２  第１検出電極（検出電極）
４４  第２検出電極（検出電極）
４７  配線導体
５  回路基板
６  第１筐体
７  第１フレキシブル基板（フレキシブル基板）
９  第１遮光膜
１１  第２遮光膜
１０４  第２筐体
【図１】
0005734130.tif 000002
【図２】
0005734130.tif 000003
【図３】
0005734130.tif 000004
【図４】
0005734130.tif 000005
【図５】
0005734130.tif 000006
【図６】
0005734130.tif 000007
【図７】
0005734130.tif 000008
【図８】
0005734130.tif 000009